(57)【特許請求の範囲】
【請求項１】
深夜電力を利用して水を電気分解して得た水素と酸素をそれぞれ個別に貯蔵し、火葬炉（１Ｂ）で燃料ガスにより火葬する際に、前記電気分解で得られた水素を燃料ガスに混合して火葬し、電気分解で得られた酸素を火葬炉（１Ｂ）内に供給して、被火葬体及び未燃焼ガスの燃焼を促進することを特徴とする火葬方法。
【請求項２】
燃料ガス用の主バーナ（４Ｂ）を備えている火葬炉（１Ｂ）において、水の電気分解で水素と酸素を発生するガス発生器（６）を深夜電力で起動可能に設けると共に、水素と酸素の各ガスをそれぞれ個別に貯蔵する第１タンク（７）と第２タンク（８）とを備え、前記火葬炉（１Ｂ）内に突入する第２ノズル（１２）を設け、前記主バーナ（４Ｂ）への燃料ガス供給路（２０）中に、該供給路（２０）中の燃料ガスと水素を貯蔵する第１タンク（７）から供給される水素との混合器（１４Ｂ）を介在し、前記第２ノズル（１２）に酸素を貯蔵する第２タンク（８）を連結していることを特徴とする火葬装置。
【発明の詳細な説明】
【０００１】
【発明の属する技術分野】
本発明は、安価に提供される深夜電力を熱エネルギーに変換して火葬に供与し、本来火葬に使用されている燃料の使用量を減少すると同時に、排気ガスのクリーン化を促進する火葬方法とその装置に関する。
【０００２】
【従来の技術】
火葬炉は、一般に都市ガスやプロパンガスなどの燃料ガス、あるいは灯油などの燃料オイルによって火葬されるもので、その消費量が夥しく、しかも窒素酸化物や二酸化炭素の排出量が多くなることから、これらの有毒ガスの排出を、地方自治体の指令による規制数値にまで到達するように研究し努力されているが、その許容値といえども有毒ガスが混在するものであり、完全なクリーンガス化は殆ど不可能に近いものである。これに対して電気ヒータを使用して火葬することにより、電気による加熱体からの有毒ガスの発生が皆無でクリーンであるから最も好ましいが、周知のように電気エネルギーは他の燃料よりも高価であり、使用に躊躇されるものである。
【０００３】
【発明が解決しようとする課題】
ところで、クリーンな電気エネルギーを安価に深夜電力として提供されており、深夜電力を火葬炉に使用することが提案されたが、火葬の業務は昼間に行われるものであり、深夜電力の使用が一応不可能である。しかし、深夜に電気エネルギーを蓄積して昼間に使用する手立てもあり、そこで案出された手段は、火葬炉内を深夜に加熱保温しておき、その熱によって火葬時の燃焼に寄与しようと試みたが、火葬炉は耐熱及び断熱材で構築してあるといえども、試算の結果では有効利用とはいえず、火葬炉では深夜電力の有効利用が殆ど不可能視されていた。
【０００４】
本発明は火葬炉に対して深夜電力の利用手段を再考し、クリーンエネルギーをそのまま有効に利用して、公害の発生を大きく抑制することができ、しかも従来の化石燃料の経費よりも安価に処理できるようにすることを目的とする。
【０００５】
【課題を解決するための手段】
本発明の解決手段は、深夜電力で水を電気分解して水素と酸素を貯蔵し、その水素を燃料とし、酸素を被火葬体及び被火葬体から発生する未燃焼ガスの再燃に使用するものである。但し、水素自体では火葬に適さないため、その水素を市販の燃料ガスに混合して、水素を多量に含むガスで火葬するもので、この場合燃料ガスには圧が加えられているから、火炎が安定した状態で目的とする位置へ確実に放射して火葬できる方法になる。
【０００８】
上記方法は、次の装置によって実現できる。それは、燃料ガス用のバーナを備えている火葬炉に適応するもので、水の電気分解で水素と酸素を発生するガス発生器を深夜電力で起動可能に設けると共に、水素と酸素の各ガスをそれぞれ個別に貯蔵する第１タンクと第２タンクとを備え、前記火葬炉内に突入する第２ノズルを設け、前記バーナへの燃料ガス供給路中に、該供給路中の燃料ガスと水素を貯蔵するタンクから供給される水素との混合器を介在し、第２ノズルに酸素を貯蔵する第２タンクを連結するものである。
【０００９】
【発明の実施の形態】
本発明による実施形態を図面によって説明すると、図１に示す火葬炉１Ａはオイルを燃料として火葬するもので、主燃焼室２と再燃焼室３とを上下に配して構成してあり、主燃焼室２にオイル用の主バーナ４Ａを備え、再燃焼室３にも同じくオイル用の副バーナ５Ａを設けているものである。
【００１０】
上記火葬炉１Ａに対して、水の電気分解によって水素と酸素を発生するガス発生器６を備え、該ガス発生器６からの水素と酸素を別々の第１，第２タンク７，８に貯蔵しておく。しかもガス発生器６は市販の深夜電気のみで稼働するように、深夜電力専用の電気回路９を接続し、且つ水供給管１０を接続してある。
【００１１】
一方、図２にも示すように、上記火葬炉１Ａの主燃焼室２の両側壁または片側の側壁に、複数の第１ノズル１１と第２ノズル１２を上下に配し且つ室内に突入するように列設したもので、下段の各第１ノズル１１は、前記第１タンク７に貯蔵する水素を燃料として火炎を放射するものであり、また上段の各第２ノズル１２は、他の第２タンク８に貯蔵する酸素を放射するものである。
【００１２】
ところで、第１タンク７内に貯蔵する水素には第１ノズル１１へ流動するだけの圧力がなく、また水素を燃焼するには空気が必要であり、仮に水素に空気を供給して燃焼しても、既設の主バーナ４Ａのように火炎を放射することができないことから、火葬に適さないものである。そこで第１タンク７と第１ノズル１１を結ぶ水素供給路１３中に混合器１４Ａを介在し、該混合器１４Ａにコンプレッサー１５から給送される圧縮空気をパイプ１６を通じて流入するものである。
【００１３】
以上のように水素と圧縮空気の混合ガスを供給し着火することにより、第１ノズル１１からそのノズルの延長線に向かって火炎が放射されるようになり、被火葬体の目的とする位置へ確実に到達することができるものである。
【００１４】
一方、第２タンク８は酸素供給路１７によって第２ノズル１２に連結し、主燃焼室２内に酸素を挿入するものである。火葬の特に初期には夥しい黒煙、即ち未燃焼ガスが発生するもので、その未燃焼ガスは再燃焼室３で処理されるが、その処理には大量の酸素を必要とするもので、深夜電力で得られた酸素を有効に使用して燃焼を促進するものであり、空気と異なり純粋の酸素であることから処理能率が向上されるものである。
【００１５】
尚、図中１８は燃料オイルを給送するポンプ、１９は各バーナ４Ａ，５Ａへの２次燃焼用空気のブロアーである。
【００１６】
次に図３と図４に示す火葬炉１Ｂは、都市ガス、ＬＰガスまたは天然ガスなどを燃料として火葬するもので、前記火葬炉１Ａとの違いは、ガス専用の主バーナ４Ｂと同様の副バーナ５Ｂとを備え、各バーナへの２次燃焼空気を供給するブロアー１９を備えている点は前記と同様である。
【００１７】
この火葬炉１Ｂの場合も前記例と同様に、深夜電力で稼働するガス発生器６と、発生した水素及び酸素を個別に貯蔵する第１，第２タンク７，８を備え、また火葬炉１Ｂの主燃焼室２の両側壁または一方の側壁に酸素を放射する複数の第２ノズル１２を有し、この第２ノズル１２と第２タンク８とを酸素供給路１７で連結している点は前記例と同様である。
【００１８】
一方第１タンク７に貯蔵した水素は、主バーナ４Ｂへの燃料ガス供給路２０を通じて主燃焼室２内に流入できるように、燃料ガス供給路２０中に混合器１４Ｂを介在し、該混合器１４Ｂに第１タンク７を水素供給路１３を介して連結したものである。
【００１９】
燃料ガスの主な成分は炭素と水素であり、これに水素を更に加えることにより高熱の火炎が得られ、しかも燃料ガスには圧力が加えられているから、火葬に適した火炎を放射することができるものである。
【００２０】
【発明の効果】
本発明による火葬方法によれば、深夜電力による安価なエネルギーを火葬に利用する手段として、水の電気分解によって得られる水素と酸素とを貯蔵しておき、昼間の火葬時に水素を燃料の一部とし、酸素によって燃焼を促進するものであり、しかも燃料となる水素を燃料ガスに混合して供給するため、着火された火炎を燃料ガスの圧によって目的とする方向に確実に放射して火葬処理ができるようになり、従来使用されていた燃料の削減に寄与するものであり、更に水素を燃料の一部とするものであるから、燃焼時にノックスや二酸化炭素の発生がなく、その排気ガスがクリーンになるという効果が得られるものである。
【００２１】
また本発明の火葬装置によれば、既設の火葬炉に対しても組み付けることができるものであり、既設の火葬炉に対しても燃料の削減と公害の防止とに貢献することができるようになる。
【図面の簡単な説明】
【図１】本発明による火葬装置を備えた火葬炉を側面から見た示す断面図である。
【図２】同じく火葬炉の正面から見た断面図である。
【図３】本発明による火葬装置を備えた他の例による火葬炉を示す正面より見た断面図である。
【図４】同じく側面より見た断面図である。
【符号の説明】
１Ａ，１Ｂ  火葬炉
４Ａ，４Ｂ  主バーナ
６  ガス発生器
７  第１タンク
８  第２タンク
１１  第１ノズル
１２  第２ノズル
１４Ａ，１４Ｂ  混合器
２０  燃料ガス供給路
【図１】
0003878284.tif 000002
【図２】
0003878284.tif 000003
【図３】
0003878284.tif 000004
【図４】
0003878284.tif 000005